(57)【要約】【課題】図面のバージョンに関する確認を容易に行う。【解決手段】図面管理装置１０は、コード情報生成サーバ４０及びバージョン問い合わせサーバ５０を備え、コード情報生成サーバ４０は、図面データを入力する図面入力部４１と、図面データのバージョンを識別可能な識別情報を生成する識別情報生成部４２と、識別情報を読み取り可能なコード情報を生成するコード情報生成部４３と、図面データと当該図面データに係るコード情報とをあわせて表示又は印刷するための出力用データを生成して出力する出力用データ出力部４４とを有し、バージョン問い合わせサーバ５０は、検証用の識別情報を入力する検証用識別情報入力部５１と、検証用の識別情報と識別情報生成手段によって生成された識別情報とを比較して図面データのバージョンの検証を行う検証部５２と、検証結果に応じた情報の出力を行う検証結果出力部５３とを有する。【選択図】図１
2017227960.tif 000002
【特許請求の範囲】
【請求項１】
図面データを入力する図面入力手段と、
前記図面入力手段によって入力された図面データに対して、当該図面データのバージョンを識別可能な識別情報を生成する識別情報生成手段と、
前記識別情報生成手段によって生成された識別情報を読み取り可能なコード情報を生成するコード情報生成手段と、
前記図面入力手段によって入力された図面データと、前記コード情報生成手段によって生成された当該図面データに係るコード情報とをあわせて表示又は印刷するための出力用データを生成して出力する出力用データ出力手段と、
検証用の識別情報を入力する検証用識別情報入力手段と、
前記検証用識別情報入力手段によって入力された検証用の識別情報と、前記識別情報生成手段によって生成された識別情報とを比較して、当該検証用の識別情報に係る図面データのバージョンの検証を行う検証手段と、
前記検証手段による検証結果に応じた情報の出力を行う検証結果出力手段と、
を備える図面管理装置。
【請求項２】
前記コード情報生成手段は、前記コード情報としてバーコードを生成する請求項１に記載の図面管理装置。
【請求項３】
前記コード情報生成手段は、検証用の識別情報の入力先を示す入力先情報も読み取り可能なコード情報を生成する請求項１又は２に記載の図面管理装置。
【請求項４】
請求項１〜３の何れか一項に記載の図面管理装置と、出力用端末とを含む図面管理システムであって、
前記出力用端末は、
前記図面管理装置から出力された前記出力用データを入力する出力用データ入力手段と、
前記出力用データ入力手段によって入力された出力用データの表示又は印刷を行う表示印刷手段と、を備える図面管理システム。
【請求項５】
請求項１〜３の何れか一項に記載の図面管理装置と、検証用端末とを含む図面管理システムであって、
前記検証用端末は、
表示又は印刷された前記出力用データのコード情報から、識別情報を読み取る識別情報読取手段と、
前記識別情報読取手段によって読み取られた識別情報を、検証用の識別情報として前記図面管理装置に出力する検証用識別情報出力手段と、
前記検証用識別情報出力手段による検証用の識別情報の出力に応じて、前記図面管理装置から、前記検証結果に応じた情報を入力する検証結果入力手段と、を備える図面管理システム。
【発明の詳細な説明】
【技術分野】
【０００１】
本発明は、図面管理装置及び図面管理システムに関する。
【背景技術】
【０００２】
例えば建設・建築工事の現場等では、作業員は設計図等の図面に基づいて作業を行う。これらの図面は、建設・建築対象物の仕様変更等によりバージョンが更新される場合がある。仮に古いバージョンの図面に基づいて作業を行ってしまうと手戻りが発生する虞があるため、作業員は、使用している図面のバージョンが最新のものであることを確認する必要がある。
【０００３】
そこで、従来、図面のバージョンに関する確認を行うことができる図面管理システムが知られている。例えば、下記特許文献１において開示される図面管理システムでは、作業員に対して電子メールで図面の更新情報が送信されることにより、或いは、作業員が当該システムにログインした際に図面の更新情報が表示されることにより、図面のバージョンが更新されたことが作業員に周知される。
【先行技術文献】
【特許文献】
【０００４】
【特許文献１】特開２００８−２８２０８１号公報
【発明の概要】
【発明が解決しようとする課題】
【０００５】
しかしながら、実際の建設・建築工事の現場等では、作業員は、紙に印刷した図面を使用する場合も多く、この場合、一度印刷した図面を使い続けることも多い。このような状況において、上述した図面管理システムでは、作業員は、電子メール又は当該システムへのログイン画面を確認しなければ、紙に印刷した手元の図面のバージョンに関する確認を行うことができない。このため、例えば建設・建築工事の現場等において、図面のバージョンに関する確認を行うことは容易ではなかった。
【０００６】
そこで、本発明は、図面のバージョンに関する確認を容易に行うことができる図面管理装置及び図面管理システムを提供することを目的とする。
【課題を解決するための手段】
【０００７】
本発明の図面管理装置は、図面データを入力する図面入力手段と、図面入力手段によって入力された図面データに対して、当該図面データのバージョンを識別可能な識別情報を生成する識別情報生成手段と、識別情報生成手段によって生成された識別情報を読み取り可能なコード情報を生成するコード情報生成手段と、図面入力手段によって入力された図面データと、コード情報生成手段によって生成された当該図面データに係るコード情報とをあわせて表示又は印刷するための出力用データを生成して出力する出力用データ出力手段と、検証用の識別情報を入力する検証用識別情報入力手段と、検証用識別情報入力手段によって入力された検証用の識別情報と、識別情報生成手段によって生成された識別情報とを比較して、当該検証用の識別情報に係る図面データのバージョンの検証を行う検証手段と、検証手段による検証結果に応じた情報の出力を行う検証結果出力手段と、を備える。
【０００８】
この図面管理装置によれば、図面データのバージョンを確認したい場合には、当該図面データに係る出力用データに含まれるコード情報から、検証用の識別情報を読み取る。そして、読み取られた検証用の識別情報と、過去に生成された識別情報とを比較することによって、図面データのバージョンの検証が行われる。更に、検証結果に応じた情報が出力されることによって、図面データのバージョンが周知される。よって、図面のバージョンに関する確認を容易に行うことができる。
【０００９】
本発明の図面管理装置では、コード情報生成手段は、コード情報としてバーコードを生成してもよい。この構成によれば、バーコードを読み取り可能な汎用の機器を用いて、表示又は印刷された出力用データのコード情報から識別情報を容易に読み取ることができる。
【００１０】
本発明の図面管理装置では、コード情報生成手段は、検証用の識別情報の入力先を示す入力先情報も読み取り可能なコード情報を生成してもよい。この構成によれば、出力用データに基づいて表示又は印刷されたコード情報から入力先情報も読み取ることによって、検証用の識別情報の入力先に容易にアクセスすることができる。
【００１１】
本発明の図面管理システムは、上記図面管理装置と、出力用端末とを含む図面管理システムであって、出力用端末は、図面管理装置から出力された出力用データを入力する出力用データ入力手段と、出力用データ入力手段によって入力された出力用データの表示又は印刷を行う表示印刷手段と、を備える。
【００１２】
この図面管理システムによれば、出力用データを入力すると共に表示又は印刷を行う出力用端末を備える。このため、本発明を好適に実施することができる。
【００１３】
本発明の図面管理システムは、上記図面管理装置と、検証用端末とを含む図面管理システムであって、検証用端末は、表示又は印刷された出力用データのコード情報から、識別情報を読み取る識別情報読取手段と、識別情報読取手段によって読み取られた識別情報を、検証用の識別情報として図面管理装置に出力する検証用識別情報出力手段と、検証用識別情報出力手段による検証用の識別情報の出力に応じて、図面管理装置から、検証結果に応じた情報を入力する検証結果入力手段と、を備える。
【００１４】
この図面管理システムによれば、出力用データのコード情報から検証用の識別情報を読み取って図面管理装置に出力すると共に、当該検証用の識別情報に係る図面データのバージョンの検証結果に応じた情報を図面管理装置から入力する検証用端末を備える。このため、本発明を好適に実施することができる。
【発明の効果】
【００１５】
本発明によれば、図面のバージョンに関する確認を容易に行うことが可能となる。
【図面の簡単な説明】
【００１６】
【図１】本実施形態に係る図面管理システムを示すブロック図である。
【図２】コード情報の一例を示す図である。
【図３】出力用データを表示した表示画面の一例を示す図である。
【図４】図面管理システムにおいて実行される図面データの登録処理を示すシーケンス図である。
【図５】図面管理システムにおいて実行される出力用データの印刷処理を示すシーケンス図である。
【図６】図面管理システムにおいて実行される図面データのバージョンの検証処理を示すシーケンス図である。
【発明を実施するための形態】
【００１７】
以下、図面と共に本発明に係る図面管理装置及び図面管理システムについて詳細に説明する。なお、図面の説明においては同一要素には同一符号を付し、重複する説明を省略する。
【００１８】
図１は、本実施形態に係る図面管理システムを示すブロック図である。図１に示す図面管理システム１は、図面データのバージョンに関する確認を容易に行うことができるように図面データを管理するシステムである。図面管理システム１によって管理される図面データとしては、例えば、建設・建築工事のための設計図・発注図・竣工図等のデータが挙げられる。このような図面データは、建設・建築対象物の仕様変更等によりバージョンが更新される。図面管理システム１は、図面管理装置１０と、出力用端末２０と、検証用端末３０とを備えている。
【００１９】
図面管理装置１０は、図面データと図面データのバージョンに関する情報とを管理すると共に、図面データのバージョンの検証を行うための装置である。図面管理装置１０は、外部の端末であるユーザ端末６０と通信して、ユーザ端末６０から図面データを受信する。出力用端末２０は、出力用データの印刷を行うための端末である。検証用端末３０は、紙等に印刷された手元の図面のバージョンに関する確認を行うための端末である。
【００２０】
まず、図面管理システム１の動作の概略について説明する。図面管理装置１０は、ユーザ端末６０において新規作成又は更新された図面データを、ユーザ端末６０から受信する。図面データは、例えば、１又は複数のページによって構成されたファイルである。図面データは、ユーザ端末６０において新規作成される際にファイル名を付与されている。なお、図面データの更新とは、ファイル名を変更せずに図面データが上書きされることを意味する。図面管理装置１０は、受信した図面データに新たなバージョンを付与し、データベースに登録する。図面管理装置１０は、データベースに登録された図面データの新たなバージョンに対応した識別情報を生成する。図面管理装置１０は、生成した識別情報をデータベースに登録する。そして、図面管理装置１０は、生成した識別情報と予め記憶している図面管理装置１０のＵＲＬとを読み取り可能なコード情報（図２参照）を生成する。図面管理装置１０は、生成したコード情報をデータベースに登録する。
【００２１】
出力用端末２０は、図面管理装置１０のデータベースに登録された図面データ及びコード情報を図面管理装置１０からダウンロードする。出力用端末２０は、図面管理装置１０からダウンロードされた図面データに基づく図面を、当該図面上にコード情報が表示された状態で紙等に印刷する。そして、紙等に印刷された図面は、例えば、作業員等に配布される。作業員等は、配布された図面に基づいて作業を行う（施工する）。図面は、仕様変更等によって、更新され得る。この図面が最新のバージョンの図面データに基づくものでないと作業に手戻りが発生する虞があるため、作業員等は、手元の図面が最新のバージョンの図面データに基づくものであるか否かを確認する必要がある。
【００２２】
検証用端末３０は、作業員等によって操作されて、紙等に印刷された手元の図面が最新のバージョンの図面データに基づくものであるか否かを確認する。具体的には、検証用端末３０は、図面に表示されているコード情報から、識別情報と図面管理装置１０のＵＲＬとを読み取る。そして、検証用端末３０は、図面管理装置１０のＵＲＬにアクセスすると共に、コード情報から読み取った識別情報を図面管理装置１０に送信する。図面管理装置１０は、受信した識別情報に基づいて図面データのバージョンが最新であるか否かを検証し、検証結果を検証用端末３０に送信する。検証結果は、検証用端末３０において、表示等の作業員等が確認できる形式で出力される。以上により、作業員等は、図面が最新のバージョンの図面データに基づくものであるか否かを確認することができる。なお、図面管理装置１０にアクセスして、最新の図面を取得して作業を行うことも考えられる。本実施形態では、作業員全員が、最新の図面を取得する権限を有していない場合にも、上記の確認を行うことができる。
【００２３】
続いて、図面管理装置１０の構成について説明する。図面管理装置１０は、コード情報生成サーバ４０と、バージョン問い合わせサーバ５０とを有している。コード情報生成サーバ４０は、図面データと図面データのバージョンに関する情報とを管理する。バージョン問い合わせサーバ５０は、図面データのバージョンの検証を行う。コード情報生成サーバ４０と、バージョン問い合わせサーバ５０とは、互いに情報の送受信を行うことができる。
【００２４】
コード情報生成サーバ４０及びバージョン問い合わせサーバ５０のそれぞれは、例えば以下のハードウェア構成を備えている。すなわち、コード情報生成サーバ４０及びバージョン問い合わせサーバ５０のそれぞれは、ＣＰＵ（Central  Processing  Unit）、主記憶装置であるＲＡＭ（Random  Access  Memory）、及びＲＯＭ（Read  Only  Memory）、通信モジュール、ハードディスク等の補助記憶装置等のハードウェア等を備えている。これらの構成要素がプログラム等によって動作することにより、コード情報生成サーバ４０及びバージョン問い合わせサーバ５０としての各機能が発揮される。
【００２５】
コード情報生成サーバ４０は、図面入力部（図面入力手段）４１と、識別情報生成部（識別情報生成手段）４２と、コード情報生成部（コード情報生成手段）４３と、出力用データ出力部（出力用データ出力手段）４４と、図面データベースＤＢ１と、コード情報データベースＤＢ２と、埋込画像データベースＤＢ３とを含んでいる。
【００２６】
図面データベースＤＢ１は、コード情報生成サーバ４０に入力された図面データを、当該図面データのファイル名及びバージョンと対応付けて登録する。また、図面データベースＤＢ１は、図面データ以外のデータである非図面データを、当該非図面データのファイル名と対応付けて登録する。コード情報データベースＤＢ２は、図面データのバージョンを識別可能な識別情報とバージョン問い合わせサーバ５０のＵＲＬとを読み取り可能なコード情報を、当該図面データのファイル名及びバージョンと対応付けて登録する。埋込画像データベースＤＢ３は、図面データに基づく図面にコード情報が埋め込まれて表示された埋込画像データを、当該図面データのファイル名及びバージョンと対応付けて登録する。
【００２７】
バージョン問い合わせサーバ５０は、検証用識別情報入力部（検証用識別情報入力手段）５１と、検証部（検証手段）５２と、検証結果出力部（検証結果出力手段）５３と、識別情報データベースＤＢ４とを含んでいる。識別情報データベースＤＢ４は、図面データに係る識別情報を、当該図面データのファイル名及びバージョンと対応付けて登録する。
【００２８】
次に、コード情報生成サーバ４０の機能的な各構成要素について説明する。まず、ユーザ端末６０において、図面の作成者等の操作によって図面データ又は非図面データが新規作成又は更新されると共に、当該データにファイル名が付与される。そして、ユーザ端末６０が、図面の作成者等の操作に応じて、図面データ又は非図面データをコード情報生成サーバ４０に送信（アップロード）する。図面データ及び非図面データのファイル名は、拡張子を除いた部分であるベース名、及び拡張子からなる。図面データ及び非図面データが更新された場合には、ファイル名を変更せずに新たなバージョンが付与される。従って、図面の系列毎に図面データには、同一のファイル名が用いられる。通常、異なる図面の系列には、異なるファイル名が付与される。すなわち、ファイル名が同一の図面データであれば、同一の系列の図面データである。拡張子は、図面データ及び非図面データのファイル形式によって予め決定されている。なお、ユーザ端末６０における図面のコード情報生成サーバ４０への送信等は、ユーザ端末６０において実行される専用のクライアントソフトウェアによって行われてもよい。
【００２９】
図面入力部４１は、図面データ及び非図面データを入力する。具体的には、図面入力部４１は、ユーザ端末６０が送信した図面データ及び非図面データを受信する。図面入力部４１は、受信した図面データ又は非図面データのファイル名に含まれる拡張子から、当該データが図面データであるか非図面データであるかを判定する。例えば、図面入力部４１は、Adobe（登録商標）PDF形式（拡張子は、「pdf」等）、Microsoft office（登録商標）形式（拡張子は、「doc」、「docx」、「xls」、「xlsx」、「ppt」、「pptx」等）、Auto CAD（登録商標）形式（拡張子は、「dwg」、「dxf」等）のデータを図面データであると判定する。また、例えば、図面入力部４１は、テキストファイル形式（拡張子は、「txt」等）、画像ファイル形式（拡張子は、「png」、「gif」、「jpg」、「jpeg」、「tif」、「tiff」等）、動画ファイル形式（拡張子は、「mp4」、「m4v」、「mov」等）、及び上記の各形式以外の形式のデータを非図面データであると判定する。
【００３０】
図面入力部４１は、コード情報生成サーバ４０における図面データの管理を容易にするために、入力された図面データのファイル形式を所定の形式（例えば、拡張子「png」を有する画像ファイル形式）に変換する。図面入力部４１は、この変換処理を、公知の手法によって実行してよい。
【００３１】
図面入力部４１は、図面データを受信した場合に、当該図面データに対して新たなバージョンを付与する。例えば、図面入力部４１は、図面データベースＤＢ１に受信した図面データを新規登録するときに、当該図面データに対して、最初のバージョンであることを示す新たなバージョン（例えば、「１」）を付与する。なお、図面入力部４１は、図面データベースＤＢ１に登録されているファイル名を読み出して、受信した図面データのファイル名と同一のファイル名を検出しなかった場合に、図面データを新規登録すると判定する。
【００３２】
或いは、図面入力部４１は、図面データベースＤＢ１に受信した図面データを更新登録するときに、当該図面データに対して、直近のバージョンが繰り上がった新たなバージョンを付与する。更新登録とは、受信した図面データと同一のファイル名の図面データが図面データベースＤＢ１に既に登録されている場合に、受信した図面データを図面データベースＤＢ１に登録することである。ここで、直近のバージョンとは、図面データベースＤＢ１に登録されている同一のファイル名の図面データのバージョンのうち、最も新しいバージョンを意味する。図面入力部４１は、新たなバージョンを付与するため、図面データベースＤＢ１から直近のバージョンを示す情報を読み出す。また、バージョンが繰り上がるとは、バージョンが更に新しくなることを意味する。一例として、直近のバージョンが「１」であったとすると、直近のバージョンが繰り上がった新たなバージョンとして「２」が付与されてもよい。なお、図面入力部４１は、図面データベースＤＢ１に登録されているファイル名を読み出して、受信した図面データのファイル名と同一のファイル名を検出した場合に、図面データを更新登録すると判定する。
【００３３】
図面入力部４１は、受信した図面データを、当該図面データのファイル名及び付与された新たなバージョンと対応付けて、図面データベースＤＢ１に登録すると共に識別情報生成部４２に出力する。また、図面入力部４１は、図面データを更新登録する際には、当該図面データと同一のファイル名の図面データの更新登録前の直近のバージョンを識別情報生成部４２に出力する。また、図面入力部４１は、受信した非図面データを、ファイル名と対応付けて図面データベースＤＢ１に登録する。
【００３４】
識別情報生成部４２は、図面データベースＤＢ１に図面データが更新登録されるときに図面入力部４１から出力されたファイル名及び更新登録前の直近のバージョンに対応付けられて識別情報データベースＤＢ４に登録されている図面データの識別情報を論理削除する。論理削除は、例えば、当該識別情報に削除時刻（削除日時）を対応付けることで行われる。
【００３５】
識別情報生成部４２は、図面入力部４１によって入力された図面データに対して、当該図面データのバージョンを識別可能な識別情報を生成する。識別情報は、例えば、Ａ〜Ｚ、ａ〜ｚ、又は０〜９の値をランダムに並べた６桁の文字列（例えば、「Aab123」等）である。なお、識別情報を構成する文字列の桁数は、６桁に限定されない。
【００３６】
また、識別情報生成部４２は、新たに生成した識別情報が識別情報データベースＤＢ４に既に登録されているか否かを判定する。より具体的には、識別情報生成部４２は、識別情報データベースＤＢ４に既に登録されている識別情報（論理削除されたものも含む）を読み出して、新たに生成した識別情報と同一の識別情報が存在するか否かを判定する。識別情報生成部４２は、新たに生成した識別情報が識別情報データベースＤＢ４に既に登録されていると判定した場合には、改めて別の識別情報を生成する。これにより、識別情報は、各図面データ及びバージョンに対して、互いに重複することなく（ユニークに）割り当てられる。
【００３７】
識別情報生成部４２は、生成した識別情報を、図面入力部４１から出力されたファイル名及び新たなバージョンと対応付けて、バージョン問い合わせサーバ５０の識別情報データベースＤＢ４に登録すると共にコード情報生成部４３に出力する。コード情報生成部４３は、識別情報生成部４２によって生成された識別情報と、バージョン問い合わせサーバ５０のＵＲＬ（すなわち、図面データのバージョンの検証を行う際における検証用の識別情報（バージョン確認キー）の入力先を示す入力先情報）と、を読み取り可能なコード情報を生成する。バージョン問い合わせサーバ５０のＵＲＬは、コード情報生成サーバ４０によって予め記憶されている。
【００３８】
図２に示すように、コード情報Ｃは、バージョン問い合わせサーバ５０のＵＲＬに続けて識別情報を表す文字列を配した文字情報Ｌと、当該文字情報Ｌをバーコード（ここでは、２次元バーコードであるＱＲコード（登録商標））に変換したコード画像Ｐと、によって構成されている。なお、文字情報Ｌをコード画像Ｐに変換する処理については、公知の手法を用いることができる。
【００３９】
図１に戻り、コード情報生成部４３は、生成したコード情報を、当該コード情報に係る図面データのファイル名及びバージョンと対応付けてコード情報生成サーバ４０のコード情報データベースＤＢ２に登録する。
【００４０】
出力用データ出力部４４は、図面入力部４１によって入力された図面データと、コード情報生成部４３によって生成された当該図面データに係るコード情報とをあわせて印刷するための出力用データを生成して出力する。より具体的には、出力用データ出力部４４は、以下のように出力用データを生成して出力する。出力用端末２０は、ユーザの操作に応じて、コード情報生成サーバ４０の出力用データ出力部４４に対して出力用データのダウンロードリクエストを送信する。ここで、ダウンロードリクエストには、ダウンロードしたい図面データのファイル名が含められる。これに応じて、出力用データ出力部４４は、図面データベースＤＢ１から当該ファイル名に対応付けられた図面データのうち最新のバージョンのものを取得すると共に、コード情報データベースＤＢ２から当該ファイル名に対応付けられたコード情報のうち最新のバージョンのものを取得する。出力用データ出力部４４は、取得した図面データ及びコード情報から出力用データを生成して、出力用端末２０に送信する。
【００４１】
図３は、出力用データを表示した表示画面の一例を示す図である。図３に示すように、出力用データは、図面データＤにコード情報Ｃが埋め込まれた埋込画像データである。埋込画像データを表示した表示画面Ｗでは、図面データＤ上の例えば空白部分にコード情報Ｃが重畳して配置されている。図面データＤ上のコード情報Ｃが埋め込まれる位置については、例えば、予め出力用データ出力部４４が記憶している。
【００４２】
図１に戻り、出力用データ出力部４４は、出力用データとして埋込画像データを生成すると、生成した埋込画像データを、ファイル名及びバージョンと対応付けて埋込画像データベースＤＢ３に登録する。このように出力用データ出力部４４が埋込画像データを生成した後に、出力用データ出力部４４が出力用端末２０から出力用データのダウンロードリクエストを受信した場合には、出力用データ出力部４４は、埋込画像データベースＤＢ３に登録されている埋込画像データのファイル名を読み出す。そして、出力用データ出力部４４は、出力用端末２０から受信したダウンロードリクエストに含められたファイル名と同一のファイル名を検出したときには、再び同一内容の埋込画像データを生成することなく、埋込画像データベースＤＢ３に登録されている当該ファイル名の埋込画像データのうちの最新のバージョンのものを読み出して出力用端末２０に送信する。
【００４３】
なお、当該ファイル名についての、埋込画像データベースＤＢ３に登録されている埋込画像データの最新のバージョンと、図面データベースＤＢ１に登録されている画像データの最新のバージョンとが一致していない場合には、出力用データ出力部４４は、図面データベースＤＢ１に登録されている最新のバージョンの画像データと、コード情報データベースＤＢ２に登録されている最新のバージョンのコード情報とから新たに埋込画像データを生成する。
【００４４】
一方、出力用データ出力部４４は、出力用端末２０から受信したダウンロードリクエストに含められたファイル名と同一のファイル名を検出しないときには、上述した処理によって新たに埋込画像データを生成して出力用端末２０に送信する。
【００４５】
次に、バージョン問い合わせサーバ５０の機能的な各構成要素について説明する。検証用識別情報入力部５１は、検証用端末３０によって出力された検証用の識別情報を入力する。検証用の識別情報とは、バージョンが最新のものであるか否かを確認しようとする図面データに対して既に生成されている識別情報である。
【００４６】
検証用の識別情報は、出力用データ出力部４４によって出力用端末２０に送信された出力用データに含まれるコード情報から読み取られる。例えば、検証用の識別情報は、出力用端末２０によって印刷された出力用データに含まれるコード情報のコード画像から、例えば検証用端末３０に搭載されるカメラ等を利用したコードリーダを用いて読み取られる。この場合、コード画像からバージョン問い合わせサーバ５０のＵＲＬも同時に読み取られる。このとき、検証用端末３０は、バージョン問い合わせサーバ５０のＵＲＬに続けて識別情報を表す文字列を配した文字情報によって表されるＵＲＬにアクセスする。その結果、検証用端末３０は、バージョン問い合わせサーバ５０の検証用識別情報入力部５１に検証用の識別情報を送信することとなる。なお、このアクセスは、例えば、図面管理装置１０にアクセスして最新の図面を取得する権限を有していないユーザにも可能としておく。
【００４７】
検証用識別情報入力部５１は、検証用端末３０から上記のＵＲＬによるアクセスを受け付けることで、検証用の識別情報を受信する。検証用識別情報入力部５１は、受信した検証用の識別情報を検証部５２に出力する。
【００４８】
或いは、検証用の識別情報は、出力用端末２０によって印刷された出力用データに含まれるコード情報の文字情報から目視で読み取られてもよい。この場合、コード情報の文字情報からバージョン問い合わせサーバ５０のＵＲＬもあわせて読み取られる。そして、検証用端末３０は、バージョン問い合わせサーバ５０のＵＲＬに続けて識別情報を表す文字列を配した文字情報によって表されるＵＲＬが入力（手入力）されることにより、当該文字情報によって表されるＵＲＬにアクセスする。その結果、検証用端末３０は、バージョン問い合わせサーバ５０の検証用識別情報入力部５１に検証用の識別情報を送信することとなる。
【００４９】
検証部５２は、検証用識別情報入力部５１によって入力された検証用の識別情報と、識別情報生成部４２によって生成されて識別情報データベースＤＢ４に登録された識別情報とを比較して、当該検証用の識別情報に係る図面データのバージョンの検証を行う。
【００５０】
より具体的には、検証部５２は、まず、識別情報データベースＤＢ４に登録されている識別情報を読み出す。そして、検証部５２は、検証用識別情報入力部５１によって入力された検証用の識別情報と同一の識別情報が識別情報データベースＤＢ４に有効に登録されているか否かを確認する。識別情報が識別情報データベースＤＢ４に有効に登録されているとは、例えば識別情報が識別情報データベースＤＢ４に登録された後に論理削除等されていないことを意味する。
【００５１】
検証部５２は、検証用識別情報入力部５１によって入力された検証用の識別情報と同一の識別情報が識別情報データベースＤＢ４に有効に登録されていることが確認された場合に、当該識別情報に係る図面データの登録以後に同一のファイル名の別の図面データが更新登録されておらず、当該検証用の識別情報に係る図面データのバージョンが最新のものであると判定する。一方、検証部５２は、検証用識別情報入力部５１によって入力された検証用の識別情報と同一の識別情報が識別情報データベースＤＢ４に有効に登録されていることが確認されなかった場合に、当該識別情報に係る図面データの登録以後に同一のファイル名の別の図面データが更新登録されている等により、当該検証用の識別情報に係る図面データのバージョンが最新のものではないと判定する。検証部５２は、この検証結果を検証結果出力部５３に出力する。
【００５２】
検証結果出力部５３は、検証部５２による検証結果に応じた情報の出力を行う。より具体的には、検証結果出力部５３は、検証部５２が、検証用識別情報入力部５１によって入力された検証用の識別情報に係る図面データのバージョンが最新のものであると判定したか、当該図面データのバージョンが最新のものではないと判定したかを示す情報を、検証用の識別情報の送信元の検証用端末３０に送信する。例えば、検証用の識別情報に係る図面データのバージョンが最新のものであることを示す情報は、「最新です。（ＯＫ）」との表示（レスポンスメッセージ）を行うための情報である。当該バージョンが最新のものでないことを示す情報は、「過去図面です。（ＮＧ）」との表示を行うための情報である。
【００５３】
次に、出力用端末２０のハードウェア構成について説明する。出力用端末２０は、ＣＰＵ（Central  Processing  Unit）、主記憶装置であるＲＡＭ（Random  Access  Memory）、及びＲＯＭ（Read  Only  Memory）、入力キー、タッチセンサ等の入力デバイスである入力装置、タッチパネルディスプレイ、液晶ディスプレイ等の出力装置、通信モジュール、ハードディスク等の補助記憶装置等のハードウェアを備えるコンピュータとして構成される。これらの構成要素がプログラム等によって動作することにより、出力用端末２０としての各機能が発揮される。
【００５４】
出力用端末２０の機能的な各構成要素について説明する。出力用端末２０は、出力用データの印刷を行うための端末である。出力用端末２０は、図面管理装置１０のコード情報生成サーバ４０との間で例えばＨＴＴＰＳ通信を行う。出力用端末２０は、出力用データ入力部（出力用データ入力手段）２１と、表示印刷部（表示印刷手段）２２とを有している。
【００５５】
出力用データ入力部２１は、コード情報生成サーバ４０から出力された出力用データを入力する。出力用データは、出力用端末２０がコード情報生成サーバ４０に送信した出力用データのダウンロードリクエストに応じてコード情報生成サーバ４０によって送信されたものである。出力用データ入力部２１は、受信した出力用データを表示印刷部２２に出力する。
【００５６】
表示印刷部２２は、出力用データ入力部２１によって入力された出力用データ（埋込画像データ）の印刷を行う。表示印刷部２２によって紙等に印刷された出力用データである図面は、建設・建築工事の作業員等に受け渡される。作業員等は、この図面を携帯し、この図面に基づいて作業を行う。
【００５７】
次に、検証用端末３０のハードウェア構成について説明する。検証用端末３０は、ＣＰＵ（Central  Processing  Unit）、主記憶装置であるＲＡＭ（Random  Access  Memory）、及びＲＯＭ（Read  Only  Memory）、入力キー、タッチセンサ等の入力デバイスである入力装置、タッチパネルディスプレイ、液晶ディスプレイ等の出力装置、無線通信モジュール、ハードディスク等の補助記憶装置、カメラ等のハードウェアを備える携帯端末、タブレット端末等として構成される。これらの構成要素がプログラム等によって動作することにより、検証用端末３０としての各機能が発揮される。
【００５８】
検証用端末３０の機能的な各構成要素について説明する。検証用端末３０は、識別情報読取部（識別情報読取手段）３１と、検証用識別情報出力部（検証用識別情報出力手段）３２と、検証結果入力部（検証結果入力手段）３３とを有している。検証用端末３０は、図面管理装置１０のバージョン問い合わせサーバ５０との間で例えばＨＴＴＰＳ通信を行う。検証用端末３０は、建設・建築工事の作業員等によって、紙等に印刷された手元の図面のバージョンが最新のものであるか否かを確認するために操作される。
【００５９】
識別情報読取部３１は、出力用端末２０の表示印刷部２２によって印刷された出力用データのコード情報から、識別情報と入力先情報とを読み取る。識別情報読取部３１は、コード情報のうちのコード画像から識別情報と入力先情報とを読み取り可能な汎用の機器であってもよい。例えば、識別情報読取部３１は、カメラ等を利用した汎用のコードリーダであってもよい。この場合、コード情報のうちのコード画像からバージョン問い合わせサーバ５０のＵＲＬも同時に読み取られる。
【００６０】
検証用識別情報出力部３２は、識別情報読取部３１によって読み取られた識別情報を、検証用の識別情報としてバージョン問い合わせサーバ５０の検証用識別情報入力部５１に出力する。識別情報読取部３１は、バージョン問い合わせサーバ５０のＵＲＬに続けて識別情報を表す文字列を配した文字情報によって表されるＵＲＬにアクセスする。その結果、検証用識別情報出力部３２は、バージョン問い合わせサーバ５０の検証用識別情報入力部５１に検証用の識別情報を送信することとなる。
【００６１】
なお、検証用端末３０は、識別情報読取部３１を有さなくてもよい。この場合、検証用端末３０の使用者（作業員等）が目視によって、コード情報のうちの文字情報から識別情報と入力先情報とを読み取る。そして、検証用端末３０は、バージョン問い合わせサーバ５０のＵＲＬに続けて識別情報を表す文字列を配した文字情報によって表されるＵＲＬが入力（手入力）されることにより、当該文字情報によって表されるＵＲＬにアクセスする。その結果、検証用識別情報出力部３２は、バージョン問い合わせサーバ５０の検証用識別情報入力部５１に検証用の識別情報を送信することとなる。
【００６２】
検証結果入力部３３は、検証用識別情報出力部３２による検証用の識別情報の出力に応じて、バージョン問い合わせサーバ５０の検証結果出力部５３から、当該検証用の識別情報に係る図面データのバージョンについての検証結果に応じた情報（すなわち、検証部５２が、検証用の識別情報に係る図面データのバージョンが最新のものであると判定したか、当該図面データのバージョンが最新のものではないと判定したかを示す情報）を受信して入力する。検証結果入力部３３は、入力した検証結果に応じた情報を、作業員等が確認できる形式で出力する。例えば、検証結果入力部３３は、入力した検証結果に応じた情報をブラウザ上に表示する。
【００６３】
続いて、図４のシーケンス図を用いて、図面管理システム１において実行される図面データの登録処理を説明する。図４に示す図面データの登録処理は、ユーザ端末６０において新規作成又は更新された図面データ又は非図面データを図面管理装置１０に登録する際に実行される。
【００６４】
まず、図面データ又は非図面データが、ユーザ端末６０からコード情報生成サーバ４０の図面入力部４１に送信される（Ｓ１１）。
【００６５】
図面入力部４１に送信されたデータは、図面入力部４１によって、当該データが図面データであるか非図面データであるかを拡張子に基づいて判定される。図面データは、図面入力部４１によって、ファイル形式を所定の形式（例えば、拡張子「png」を有する画像ファイル形式）に変換される（Ｓ１２）。
【００６６】
図面入力部４１に送信されたデータが図面データであると判定されると、図面データの新規登録が行われるのか、更新登録が行われるのかが判定される。そして、図面データは、新規登録が行われると判定された場合には、図面入力部４１によって、最初のバージョンであることを示す新たなバージョンが付与される。一方、図面データは、更新登録が行われると判定された場合には、図面入力部４１によって、受信された図面データと同一のファイル名の図面データの直近のバージョンが繰り上がった新たなバージョンが付与される。また、図面データは、図面入力部４１によって、ファイル名及びバージョンと対応付けられて図面データベースＤＢ１に登録される。なお、図面入力部４１に送信されたデータが図面データであると判定されたときには、図４に示す図面データの登録処理は中止される。
【００６７】
ここで、図面入力部４１によって入力された図面データが更新登録が行われるものであると判定されたときには、識別情報生成部４２によって、更新登録前の直近のバージョンの図面データの識別情報が識別情報データベースＤＢ４から論理削除される（Ｓ１３）。
【００６８】
次に、識別情報生成部４２によって、図面データに対して識別情報が生成される（Ｓ１４）。そして、識別情報生成部４２によって、生成された識別情報が識別情報データベースＤＢ４に既に登録されているか否かが判定される（Ｓ１５，Ｓ１６）。なお、識別情報生成部４２は、生成された識別情報が識別情報データベースＤＢ４に既に登録されていると判定した場合には、改めて別の識別情報を生成する。生成された識別情報は、ファイル名及び新たなバージョンと対応付けられて、バージョン問い合わせサーバ５０の識別情報データベースＤＢ４に登録される。
【００６９】
次に、識別情報と入力先情報とを読み取り可能なコード情報が、コード情報生成部４３によって生成される（Ｓ１７）。そして、生成されたコード情報は、コード情報生成部４３によって、当該コード情報に係る図面データのファイル名及びバージョンと対応付けられてコード情報データベースＤＢ２に登録される（Ｓ１８）。また、識別情報は、コード情報生成部４３によってバージョン問い合わせサーバ５０の識別情報データベースＤＢ４に登録される（Ｓ１９）。以上が、図面データの登録処理である。
【００７０】
続いて、図５のシーケンス図を用いて、図面管理システム１において実行される出力用データの印刷処理を説明する。図５に示す出力用データの印刷処理は、図面管理装置１０に登録されている図面データをコード情報とあわせてダウンロードして、図面として印刷する際に実行される。
【００７１】
まず、出力用データのダウンロードリクエストが、出力用端末２０からコード情報生成サーバ４０の出力用データ出力部４４に送信される（Ｓ２１）。
【００７２】
このダウンロードリクエストに応じて、図面入力部４１が受信した図面データと、コード情報生成部４３によって生成された当該図面データに係るコード情報とをあわせて印刷するための出力用データが、出力用データ出力部４４によって生成される（Ｓ２２）。
【００７３】
出力用データは、図面データ上にコード情報が重畳して配置された埋込画像データである。生成された出力用データは、出力用端末２０によってダウンロードされ、出力用データ入力部２１に入力される（Ｓ２３）。
【００７４】
出力用データ入力部２１に入力された出力用データは、表示印刷部２２に出力される。そして、出力用データは、表示印刷部２２によって印刷される（Ｓ２４）。以上が、出力用データの印刷処理である。印刷された図面は、例えば、作業のために作業員に配布される。
【００７５】
続いて、図６のシーケンス図を用いて、図面管理システム１において実行される図面データのバージョンの検証処理を説明する。図６に示す図面データのバージョンの検証処理は、紙等に印刷された図面のバージョンを確認する際に実行される。
【００７６】
まず、検証用端末３０の識別情報読取部３１によって、出力用データのコード情報から識別情報と入力先情報とが読み取られる（Ｓ３１）。読み取られた入力先情報に基づいて、検証用端末３０がバージョン問い合わせサーバ５０のＵＲＬにブラウザアクセスする（Ｓ３２）。このとき、検証用端末３０は、バージョン問い合わせサーバ５０のＵＲＬに続けて識別情報を表す文字列を配した文字情報によって表されるＵＲＬにアクセスする。その結果、検証用端末３０は、バージョン問い合わせサーバ５０の検証用識別情報入力部５１に検証用の識別情報を送信することとなる。これにより、図面データのバージョンの問い合わせが行われる（Ｓ３３）。
【００７７】
次に、検証用識別情報入力部５１によって検証用端末３０から受信された検証用の識別情報は、バージョン問い合わせサーバ５０の検証部５２によって、識別情報データベースＤＢ４に登録されている識別情報と比較される。これにより、当該検証用の識別情報に係る図面データのバージョンが検証される。すなわち、検証部５２によって、検証用の識別情報と同一内容の識別情報が識別情報データベースＤＢ４に有効に登録されているか否かがチェックされる（Ｓ３４）。
【００７８】
そして、図面データのバージョンの検証結果に応じた情報が、検証結果出力部５３によって、検証用端末３０の検証結果入力部３３に送信（レスポンス）される（Ｓ３５）。検証用端末３０の検証結果入力部３３は、受信した検証結果に応じた情報をブラウザ上に表示する（Ｓ３６）。この検証結果を見て、作業員等は、紙等に印刷された手元の図面のバージョンが最新であるか否かを確認することができる。以上が、図面データのバージョンの検証処理である。
【００７９】
以上説明したように、図面管理装置１０によれば、図面データのバージョンを確認したい場合には、当該図面データに係る出力用データに含まれるコード情報から、検証用の識別情報を読み取る。そして、読み取られた検証用の識別情報と、過去に生成された識別情報とを比較することによって、図面データのバージョンの検証が行われる。更に、検証結果に応じた情報が出力されることによって、図面データのバージョンが周知される。よって、図面のバージョンに関する確認を容易に行うことができる。具体的には、作業員等が自己の操作で日々最新の図面であるかをチェックすることができる。
【００８０】
また、図面管理装置１０では、コード情報生成部４３は、コード情報として２次元バーコードを生成する。このため、２次元バーコードを読み取り可能な汎用の機器を用いて、印刷された出力用データのコード情報から識別情報を容易に読み取ることができる。
【００８１】
また、図面管理装置１０では、コード情報生成部４３は、検証用の識別情報の入力先を示す入力先情報も読み取り可能なコード情報を生成する。このため、出力用データに基づいて印刷されたコード情報から入力先情報も読み取ることによって、検証用の識別情報の入力先に容易にアクセスすることができる。
【００８２】
また、図面管理システム１は、図面管理装置１０と、出力用端末２０とを含み、出力用端末２０は、図面管理装置１０の出力用データ出力部４４から出力された出力用データを入力する出力用データ入力部２１と、出力用データ入力部２１によって入力された出力用データの印刷を行う表示印刷部２２と、を備える。このように、出力用データを入力すると共に印刷を行う出力用端末２０を備えることから、本発明を好適に実施することができる。
【００８３】
また、図面管理システム１は、図面管理装置１０と、検証用端末３０とを含み、検証用端末３０は、表示又は印刷された出力用データのコード情報から、識別情報を読み取る識別情報読取部３１と、識別情報読取部３１によって読み取られた識別情報を、検証用の識別情報として図面管理装置１０の検証用識別情報入力部５１に出力する検証用識別情報出力部３２と、検証用識別情報出力部３２による検証用の識別情報の出力に応じて、図面管理装置１０の検証結果出力部５３から、検証結果に応じた情報を入力する検証結果入力部３３と、を備える。このように、出力用データのコード情報から検証用の識別情報を読み取って図面管理装置１０の検証用識別情報入力部５１に出力すると共に、当該検証用の識別情報に係る図面データのバージョンの検証結果に応じた情報を図面管理装置１０の検証結果出力部５３から入力する検証用端末３０を備えることから、本発明を好適に実施することができる。
【００８４】
以上、本発明の実施形態について説明したが、本発明は上記実施形態に限られるものではなく、各請求項に記載した要旨を変更しない範囲で変形し、又は他のものに適用したものであってもよい。
【００８５】
本実施形態では、図面管理システム１は、出力用端末２０及び検証用端末３０の両方を備えている。しかし、図面管理システム１は、出力用端末２０又は検証用端末３０の何れか一方のみを備えていてもよい。或いは、図面管理システム１は、出力用端末２０及び検証用端末３０の機能を兼ね備えた端末を備えていてもよい。
【００８６】
また、コード情報は、文字情報を有さずにコード画像のみによって構成されていてもよい。或いは、コード情報は、コード画像を有さずに文字情報のみによって構成されていてもよい。更に、コード画像は、２次元バーコード以外のバーコードによって構成されていてもよく、例えば１次元バーコードによって構成されていてもよい。
【００８７】
また、上記実施形態では、コード情報は、識別情報と入力先情報とを読み取り可能としたが、識別情報のみを読み取り可能であってもよい。この場合、例えば検証用端末３０がバージョン問い合わせサーバ５０のＵＲＬを予め記憶しており、検証用端末３０は、バージョン問い合わせサーバ５０のＵＲＬにブラウザアクセスした後に、バージョン問い合わせサーバ５０の検証用識別情報入力部５１に検証用の識別情報を送信してもよい。
【００８８】
また、上記実施形態では、図面管理装置１０は、コード情報生成サーバ４０とバージョン問い合わせサーバ５０とに分かれているとしたが、コード情報生成サーバ４０及びバージョン問い合わせサーバ５０の機能を兼ね備えた一つのサーバによって構成されていてもよい。
【００８９】
また、上記実施形態では、出力用端末２０の表示印刷部２２は、出力用データ入力部２１によって入力された出力用データの印刷を行うこととした。出力用データを用いたコード情報付きの図面の出力は、視覚的に確認できるものであればよいので、表示印刷部２２は、出力用データの表示を行うこととしてもよく、表示及び印刷の両方を行うこととしてもよい。
【００９０】
また、図面入力部４１は、図面管理装置１０に登録されている図面データが図面管理装置１０上においてコピー（データの複製）されたときにも、コピーされた図面データは原本である図面データとは別のデータであるとして、コピーされた図面データに対して、ファイル名を変更せずに新たなバージョンを付与してもよい。
【００９１】
また、上記実施形態では、出力用データは、図面データにコード情報が埋め込まれて表示される埋込画像データであるとしたが、図面データにコード情報がレイヤーとして表示されたレイヤー画像データであってもよい。このようなレイヤー画像データにおいて、コード情報は、図面データ上に配置される位置及び大きさを変更可能であり、また、表示／非表示の切り替えも可能であってもよい。例えば、図３に示す表示画面Ｗにおいて、コード情報Ｃをマウスポインタにてクリックすると、コード情報Ｃが選択状態となり、コード情報Ｃの位置及び大きさを変更可能としてもよい。例えば、この状態で、ドラッグ操作又はキーボードカーソル操作を行うことによってコード情報Ｃを移動可能としてもよい。また、この状態で、コード情報Ｃの枠部をドラッグすることによってサイズを変更可能としてもよい。更に、表示画面Ｗ内にコード情報Ｃの表示／非表示を切り替えるための表示切替ボタンを設けてもよい。
【００９２】
また、図面管理システム１を利用可能な対象者は、例えば、図面管理装置１０の管理者、図面管理装置１０の操作権限を付与された登録ユーザ、及び図面管理装置１０の操作権限を付与されていない非登録ユーザに分類されてもよい。この場合、一例として、図面管理装置１０の操作権限は管理者及び登録ユーザに付与され、出力用端末２０の操作権限は管理者及び登録ユーザに付与され、検証用端末３０の操作権限は管理者、登録ユーザ、及び非登録ユーザに付与されることとしてもよい。なお、各装置及び端末の操作権限が付与される対象者は、上記のものに限定されず、任意に設定可能としてよい。
【符号の説明】
【００９３】
１…図面管理システム、１０…図面管理装置、２０…出力用端末、２１…出力用データ入力部（出力用データ入力手段）、２２…表示印刷部（表示印刷手段）、３０…検証用端末、３１…識別情報読取部（識別情報読取手段）、３２…検証用識別情報出力部（検証用識別情報出力手段）、３３…検証結果入力部（検証結果入力手段）、４１…図面入力部（図面入力手段）、４２…識別情報生成部（識別情報生成手段）、４３…コード情報生成部（コード情報生成手段）、４４…出力用データ出力部（出力用データ出力手段）、５１…検証用識別情報入力部（検証用識別情報入力手段）、５２…検証部（検証手段）、５３…検証結果出力部（検証結果出力手段）、Ｃ…コード情報、Ｄ…図面データ。
【図１】
2017227960.tif 000003
【図２】
2017227960.tif 000004
【図３】
2017227960.tif 000005
【図４】
2017227960.tif 000006
【図５】
2017227960.tif 000007
【図６】
2017227960.tif 000008
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
図面データを入力する図面入力手段と、
前記図面入力手段によって入力された図面データに対して、当該図面データのバージョンを識別可能な識別情報を生成する識別情報生成手段と、
前記識別情報生成手段によって生成された識別情報を読み取り可能なコード情報を生成するコード情報生成手段と、
前記図面入力手段によって入力された図面データと、前記コード情報生成手段によって生成された当該図面データに係るコード情報とをあわせて表示又は印刷するための出力用データを生成して出力する出力用データ出力手段と、
検証用の識別情報を入力する検証用識別情報入力手段と、
前記検証用識別情報入力手段によって入力された検証用の識別情報と、前記識別情報生成手段によって生成された識別情報とを比較して、当該検証用の識別情報に係る図面データのバージョンの検証を行う検証手段と、
前記検証手段による検証結果に応じた情報の出力を行う検証結果出力手段と、
を備え、
前記コード情報生成手段は、検証用の識別情報の入力先であるＵＲＬを示す入力先情報も読み取り可能なコード情報を生成する図面管理装置。
【請求項２】
前記コード情報生成手段は、前記コード情報としてバーコードを生成する請求項１に記載の図面管理装置。
【請求項３】
請求項１又は２に記載の図面管理装置と、出力用端末とを含む図面管理システムであって、
前記出力用端末は、
前記図面管理装置から出力された前記出力用データを入力する出力用データ入力手段と、
前記出力用データ入力手段によって入力された出力用データの表示又は印刷を行う表示印刷手段と、を備える図面管理システム。
【請求項４】
請求項１又は２に記載の図面管理装置と、検証用端末とを含む図面管理システムであって、
前記検証用端末は、
表示又は印刷された前記出力用データのコード情報から、識別情報を読み取る識別情報読取手段と、
前記識別情報読取手段によって読み取られた識別情報を、検証用の識別情報として前記図面管理装置に出力する検証用識別情報出力手段と、
前記検証用識別情報出力手段による検証用の識別情報の出力に応じて、前記図面管理装置から、前記検証結果に応じた情報を入力する検証結果入力手段と、を備える図面管理システム。